(57)【要約】【課題】エラー状態で原稿の読取開始操作がされた場合に、読取処理が終了するまで操作が行えなくなるのを回避することができる画像読取装置を提供する。【解決手段】画像読取装置１は、画像の読取処理の開始操作を行うための操作手段１０１が操作されたときに、通信ケーブル１０３を介して接続された情報処理装置２により読取処理が制御される。そして、画像読取装置１は、エラー状態か否かを判断し、エラー状態と判断した場合に、操作手段１０１の操作を無効化する。操作手段１０１が操作されたか否かを確認するための情報の送信要求を前記情報処理装置２から受信した場合に、操作手段１０１が無効化されているか否かを判断し、操作手段１０１が無効化されていると判断した場合に、操作手段１０１が操作の無効状態を通知する。【選択図】図１
2010028648.tif 000002
【特許請求の範囲】
【請求項１】
画像の読取処理の開始操作を行うための操作手段を有する画像読取装置と、画像読取装置に接続され、前記操作手段が操作されたときに、前記画像読取装置の読取処理を制御する情報処理装置とを備える画像処理システムであって、
前記情報処理装置は、前記画像読取装置に対して前記操作手段が操作されたか否かを確認するための第１の情報の送信要求を送信する第１の送信手段と、
前記送信要求に応じて前記画像読取装置から送信された第１の情報に基づいて前記操作手段が操作されたか否かを判断する第１の判断手段と、
前記画像読取装置に対して該画像読取装置がエラー状態か否かを確認するための第２の情報の送信要求を送信する第２の送信手段と、
前記送信要求に応じて前記画像読取装置から送信された第２の情報に基づいて画像読取装置がエラー状態か否かを判断する第２の判断手段と、
前記第１の判断手段により前記操作手段が操作されたと判断され、かつ前記第２の判断手段により前記画像読取装置がエラー状態と判断された場合に、前記画像読取装置の読取処理を行わないように制御する制御手段と、を備える
ことを特徴とする画像処理システム。
【請求項２】
画像の読取処理の開始操作を行うための操作手段を有する画像読取装置と、画像読取装置に接続され、前記操作手段が操作されたときに、前記画像読取装置の読取処理を制御する情報処理装置とを備える画像処理システムであって、
前記情報処理装置は、前記画像読取装置に対して前記操作手段が操作されたか否かを確認するための第１の情報の送信要求を送信する第１の送信手段と、
前記送信要求に応じて前記画像読取装置から送信された第１の情報に基づいて前記操作手段が操作されたか否かを判断する第１の判断手段と、
前記画像読取装置に対して該画像読取装置がエラー状態か否かを確認するための第２の情報の送信要求を送信する第２の送信手段と、
前記送信要求に応じて前記画像読取装置から送信された第２の情報に基づいて画像読取装置がエラー状態か否かを判断する第２の判断手段と、
前記第２の判断手段により前記画像読取装置がエラー状態と判断された場合に、前記操作手段の操作を無効化する無効化手段と、
前記第１の判断手段により前記操作手段が操作されたと判断された場合に、前記操作手段の操作が無効化されているか否かを判断する第３の判断手段と、
該第３の判断手段により前記操作手段の操作が無効化されていると判断された場合に、前記画像読取装置の読取処理を行わないように制御する制御手段と、を備える
ことを特徴とする画像処理システム。
【請求項３】
画像の読取処理の開始操作を行うための操作手段を有する画像読取装置と、画像読取装置に接続され、前記操作手段が操作されたときに、前記画像読取装置の読取処理を制御する情報処理装置とを備える画像処理システムであって、
前記画像読取装置は、エラー状態か否かを判断するエラー状態判断手段と、
該エラー状態判断手段によりエラー状態と判断された場合に、前記操作手段の操作を無効化する無効化手段と、
該無効化手段により前記操作手段の操作が無効化されている場合に、前記操作手段が操作されたか否かを確認するための情報の送信要求を前記情報処理装置から受信したときは、前記操作手段の無効状態を通知する通知手段と、を備えることを特徴とする画像処理システム。
【請求項４】
画像の読取処理の開始操作を行うための操作手段を有する画像読取装置に接続され、前記操作手段が操作されたときに、前記画像読取装置の読取処理を制御する情報処理装置であって、
前記画像読取装置に対して前記操作手段が操作されたか否かを確認するための第１の情報の送信要求を送信する第１の送信手段と、
前記送信要求に応じて前記画像読取装置から送信された第１の情報に基づいて前記操作手段が操作されたか否かを判断する第１の判断手段と、
前記画像読取装置に対して該画像読取装置がエラー状態か否かを確認するための第２の情報の送信要求を送信する第２の送信手段と、
前記送信要求に応じて前記画像読取装置から送信された第２の情報に基づいて画像読取装置がエラー状態か否かを判断する第２の判断手段と、
前記第１の判断手段により前記操作手段が操作されたと判断され、かつ前記第２の判断手段により前記画像読取装置がエラー状態と判断された場合に、前記画像読取装置の読取処理を行わないように制御する制御手段と、を備える
ことを特徴とする情報処理装置。
【請求項５】
画像の読取処理の開始操作を行うための操作手段を有する画像読取装置に接続され、前記操作手段が操作されたときに、前記画像読取装置の読取処理を制御する情報処理装置であって、
前記画像読取装置に対して前記操作手段が操作されたか否かを確認するための第１の情報の送信要求を送信する第１の送信手段と、
前記送信要求に応じて前記画像読取装置から送信された第１の情報に基づいて前記操作手段が操作されたか否かを判断する第１の判断手段と、
前記画像読取装置に対して該画像読取装置がエラー状態か否かを確認するための第２の情報の送信要求を送信する第２の送信手段と、
前記送信要求に応じて前記画像読取装置から送信された第２の情報に基づいて画像読取装置がエラー状態か否かを判断する第２の判断手段と、
前記第２の判断手段により前記画像読取装置がエラー状態と判断された場合に、前記操作手段の操作を無効化する無効化手段と、
前記第１の判断手段により前記操作手段が操作されたと判断された場合に、前記操作手段の操作が無効化されているか否かを判断する第３の判断手段と、
該第３の判断手段により前記操作手段の操作が無効化されていると判断された場合に、前記画像読取装置の読取処理を行わないように制御する制御手段と、を備える
ことを特徴とする情報処理装置。
【請求項６】
情報処理装置に接続されるインターフェースと、画像の読取処理の開始操作を行うための操作手段とを有し、前記操作手段が操作されたときに、前記情報処理装置により前記読取処理が制御される画像読取装置であって、
エラー状態か否かを判断するエラー状態判断手段と、
該エラー状態判断手段によりエラー状態と判断された場合に、前記操作手段の操作を無効化する無効化手段と、
該無効化手段により前記操作手段の操作が無効化されている場合に、前記操作手段が操作されたか否かを確認するための情報の送信要求を前記情報処理装置から受信したときは、前記操作手段の無効状態を通知する通知手段と、を備えることを特徴とする画像読取装置。
【請求項７】
画像の読取処理の開始操作を行うための操作手段を有する画像読取装置に接続され、前記操作手段が操作されたときに、前記画像読取装置の読取処理を制御する情報処理装置の制御方法であって、
前記画像読取装置に対して前記操作手段が操作されたか否かを確認するための第１の情報の送信要求を送信する第１の送信ステップと、
前記送信要求に応じて前記画像読取装置から送信された第１の情報に基づいて前記操作手段が操作されたか否かを判断する第１の判断ステップと、
前記画像読取装置に対して該画像読取装置がエラー状態か否かを確認するための第２の情報の送信要求を送信する第２の送信ステップと、
前記送信要求に応じて前記画像読取装置から送信された第２の情報に基づいて画像読取装置がエラー状態か否かを判断する第２の判断ステップと、
前記第１の判断ステップで前記操作手段が操作されたと判断され、かつ前記第２の判断ステップで前記画像読取装置がエラー状態と判断された場合に、前記画像読取装置の読取処理を行わないように制御する制御ステップと、を備える
ことを特徴とする情報処理装置の制御方法。
【請求項８】
画像の読取処理の開始操作を行うための操作手段を有する画像読取装置に接続され、前記操作手段が操作されたときに、前記画像読取装置の読取処理を制御する情報処理装置の制御方法であって、
前記画像読取装置に対して前記操作手段が操作されたか否かを確認するための第１の情報の送信要求を送信する第１の送信ステップと、
前記送信要求に応じて前記画像読取装置から送信された第１の情報に基づいて前記操作手段が操作されたか否かを判断する第１の判断ステップと、
前記画像読取装置に対して該画像読取装置がエラー状態か否かを確認するための第２の情報の送信要求を送信する第２の送信ステップと、
前記送信要求に応じて前記画像読取装置から送信された第２の情報に基づいて画像読取装置がエラー状態か否かを判断する第２の判断ステップと、
前記第２の判断ステップで前記画像読取装置がエラー状態と判断された場合に、前記操作手段の操作を無効化する無効化ステップと、
前記第１の判断ステップで前記操作手段が操作されたと判断された場合に、前記操作手段の操作が無効化されているか否かを判断する第３の判断ステップと、
該第３の判断ステップで前記操作手段の操作が無効化されていると判断された場合に、前記画像読取装置の読取処理を行わないように制御する制御ステップと、を備える
ことを特徴とする情報処理装置の制御方法。
【請求項９】
情報処理装置に接続されるインターフェースと、画像の読取処理の開始操作を行うための操作手段とを有し、前記操作手段が操作されたときに、前記情報処理装置により前記読取処理が制御される画像読取装置の制御方法であって、
エラー状態か否かを判断するエラー状態判断ステップと、
該エラー状態判断ステップでエラー状態と判断された場合に、前記操作手段の操作を無効化する無効化ステップと、
該無効化ステップにより前記操作手段の操作が無効化されている場合に、前記操作手段が操作されたか否かを確認するための情報の送信要求を前記情報処理装置から受信したときは、前記操作手段の無効状態を通知する通知ステップと、を備えることを特徴とする画像読取装置の制御方法。
【請求項１０】
画像の読取処理の開始操作を行うための操作手段を有する画像読取装置に接続され、前記操作手段が操作されたときに、前記画像読取装置の読取処理を制御する情報処理装置の制御プログラムであって、
前記画像読取装置に対して前記操作手段が操作されたか否かを確認するための第１の情報の送信要求を送信する第１の送信ステップと、
前記送信要求に応じて前記画像読取装置から送信された第１の情報に基づいて前記操作手段が操作されたか否かを判断する第１の判断ステップと、
前記画像読取装置に対して該画像読取装置がエラー状態か否かを確認するための第２の情報の送信要求を送信する第２の送信ステップと、
前記送信要求に応じて前記画像読取装置から送信された第２の情報に基づいて画像読取装置がエラー状態か否かを判断する第２の判断ステップと、
前記第１の判断ステップで前記操作手段が操作されたと判断され、かつ前記第２の判断ステップで前記画像読取装置がエラー状態と判断された場合に、前記画像読取装置の読取処理を行わないように制御する制御ステップと、をコンピュータに実行させる、
ことを特徴とする情報処理装置の制御プログラム。
【請求項１１】
画像の読取処理の開始操作を行うための操作手段を有する画像読取装置に接続され、前記操作手段が操作されたときに、前記画像読取装置の読取処理を制御する情報処理装置の制御プログラムであって、
前記画像読取装置に対して前記操作手段が操作されたか否かを確認するための第１の情報の送信要求を送信する第１の送信ステップと、
前記送信要求に応じて前記画像読取装置から送信された第１の情報に基づいて前記操作手段が操作されたか否かを判断する第１の判断ステップと、
前記画像読取装置に対して該画像読取装置がエラー状態か否かを確認するための第２の情報の送信要求を送信する第２の送信ステップと、
前記送信要求に応じて前記画像読取装置から送信された第２の情報に基づいて画像読取装置がエラー状態か否かを判断する第２の判断ステップと、
前記第２の判断ステップで前記画像読取装置がエラー状態と判断された場合に、前記操作手段の操作を無効化する無効化ステップと、
前記第１の判断ステップで前記操作手段が操作されたと判断された場合に、前記操作手段の操作が無効化されているか否かを判断する第３の判断ステップと、
該第３の判断ステップで前記操作手段の操作が無効化されていると判断された場合に、前記画像読取装置の読取処理を行わないように制御する制御ステップと、をコンピュータに実行させる、
ことを特徴とする情報処理装置の制御プログラム。
【請求項１２】
情報処理装置に接続されるインターフェースと、画像の読取処理の開始操作を行うための操作手段とを有し、前記操作手段が操作されたときに、前記情報処理装置により前記読取処理が制御される画像読取装置の制御プログラムであって、
エラー状態か否かを判断するエラー状態判断ステップと、
該エラー状態判断ステップでエラー状態と判断された場合に、前記操作手段の操作を無効化する無効化ステップと、
該無効化ステップにより前記操作手段の操作が無効化されている場合に、前記操作手段が操作されたか否かを確認するための情報の送信要求を前記情報処理装置から受信したときは、前記操作手段の無効状態を通知する通知ステップと、をコンピュータに実行させる、
ことを特徴とする画像読取装置の制御プログラム。
【発明の詳細な説明】
【技術分野】
【０００１】
本発明は、画像読取装置と該画像読取装置に接続される情報処理装置とを備える画像処理システム、画像処理システムを構成する情報処理装置及び画像読取装置並びに情報処理装置の制御方法、画像読取装置の制御方法及び制御プログラムに関する。
【背景技術】
【０００２】
スキャナ等の画像読取装置では、ＵＳＢ等の双方向通信インターフェースを介して接続されたＰＣ等の情報処理装置の画像キャプチャアプリケーションを利用して、画像読取時の解像度、画像サイズ、読取画像のファイル名及びファイル形式等を設定する。そして、情報処理装置は、その設定データをスキャナドライバに送り、スキャナドライバは、設定データに基づいて画像読取装置を制御して、画像読取装置に原稿の画像の読取処理を行わせる（特許文献１及び特許文献２）。
【０００３】
このような画像読取装置では、画像読取装置に設けられたスタートボタンに対応付けて前記設定データが情報処理装置の記憶部に保存されている。情報処理装置は、画像読取装置のスタートボタンが押下されると、記憶部から前記設定データを読み出してスキャナドライバに送る。スキャナドライバは、前記設定データに基づいて画像読取装置に原稿の画像の読取処理を行わせ、読み取った画像データを記憶部に保存する。
【０００４】
また、情報処理装置の画像キャプチャアプリケーションは、画像読取装置のスタートボタンを監視し、スタートボタンの押下に連動してスキャナドライバを介して画像読取装置での原稿の画像の読取処理を開始する構成をとっている。
【特許文献１】特許第３４２８４３５号公報
【特許文献２】特開平１０−２１１７７号公報
【発明の開示】
【発明が解決しようとする課題】
【０００５】
しかし、従来においては、画像読取装置がエラー状態でユーザが誤ってスタートボタンを押下してしまうと、スタートボタンの押下に連動して、情報処理装置の画像キャプチャアプリケーションが起動してしまう。この場合、画像キャプチャアプリケーションは、スキャナドライバを呼び出して画像読取装置による画像の読取処理を行おうとするが、画像読取装置がエラー状態のため、読取処理に失敗し、情報処理装置側もエラー状態となって終了してしまう。この一連の処理が終了するまで、ユーザは、画像読取装置に対して操作が行えない状態で待たなければならなかった。
【０００６】
なお、エラー状態を確認するＬＥＤを備える画像読取装置では、ＬＥＤが赤色に点灯しているときは画像読取装置がエラー状態であるとユーザは判断できるので、エラー状態を解除してからスタートボタンを押下して、読取処理を開始することができる。
【０００７】
しかし、ＬＥＤは小さく、オフィスなどの照明に照らされている室内では視認性が低いため、ＬＥＤの点灯を見逃してしまうことが多く、従って、ＬＥＤによる状態確認方法だけでは不十分である。
【０００８】
そこで、本発明は、画像読取装置がエラー状態で画像の読取開始操作がされた場合に、画像読取装置及び情報処理装置の読取処理が終了するまで画像読取装置の操作が行えなくなるのを回避することができる画像処理システム等を提供することを目的とする。
【課題を解決するための手段】
【０００９】
上記目的を達成するために、本発明の画像処理システムは、画像の読取処理の開始操作を行うための操作手段を有する画像読取装置と、画像読取装置に接続され、前記操作手段が操作されたときに、前記画像読取装置の読取処理を制御する情報処理装置とを備える画像処理システムであって、前記情報処理装置は、前記画像読取装置に対して前記操作手段が操作されたか否かを確認するための第１の情報の送信要求を送信する第１の送信手段と、前記送信要求に応じて前記画像読取装置から送信された第１の情報に基づいて前記操作手段が操作されたか否かを判断する第１の判断手段と、前記画像読取装置に対して該画像読取装置がエラー状態か否かを確認するための第２の情報の送信要求を送信する第２の送信手段と、前記送信要求に応じて前記画像読取装置から送信された第２の情報に基づいて画像読取装置がエラー状態か否かを判断する第２の判断手段と、前記第１の判断手段により前記操作手段が操作されたと判断され、かつ前記第２の判断手段により前記画像読取装置がエラー状態と判断された場合に、前記画像読取装置の読取処理を行わないように制御する制御手段と、を備えることを特徴とする。
【００１０】
本発明の画像処理システムは、画像の読取処理の開始操作を行うための操作手段を有する画像読取装置と、画像読取装置に接続され、前記操作手段が操作されたときに、前記画像読取装置の読取処理を制御する情報処理装置とを備える画像処理システムであって、  前記情報処理装置は、前記画像読取装置に対して前記操作手段が操作されたか否かを確認するための第１の情報の送信要求を送信する第１の送信手段と、前記送信要求に応じて前記画像読取装置から送信された第１の情報に基づいて前記操作手段が操作されたか否かを判断する第１の判断手段と、前記画像読取装置に対して該画像読取装置がエラー状態か否かを確認するための第２の情報の送信要求を送信する第２の送信手段と、前記送信要求に応じて前記画像読取装置から送信された第２の情報に基づいて画像読取装置がエラー状態か否かを判断する第２の判断手段と、前記第２の判断手段により前記画像読取装置がエラー状態と判断された場合に、前記操作手段の操作を無効化する無効化手段と、前記第１の判断手段により前記操作手段が操作されたと判断された場合に、前記操作手段の操作が無効化されているか否かを判断する第３の判断手段と、該第３の判断手段により前記操作手段の操作が無効化されていると判断された場合に、前記画像読取装置の読取処理を行わないように制御する制御手段と、を備えることを特徴とする。
【００１１】
本発明の画像処理システムは、画像の読取処理の開始操作を行うための操作手段を有する画像読取装置と、画像読取装置に接続され、前記操作手段が操作されたときに、前記画像読取装置の読取処理を制御する情報処理装置とを備える画像処理システムであって、  前記画像読取装置は、エラー状態か否かを判断するエラー状態判断手段と、該エラー状態判断手段によりエラー状態と判断された場合に、前記操作手段の操作を無効化する無効化手段と、該無効化手段により前記操作手段の操作が無効化されている場合に、前記操作手段が操作されたか否かを確認するための情報の送信要求を前記情報処理装置から受信したときは、前記操作手段の無効状態を通知する通知手段と、を備えることを特徴とする。
【００１２】
本発明の情報処理装置は、画像の読取処理の開始操作を行うための操作手段を有する画像読取装置に接続され、前記操作手段が操作されたときに、前記画像読取装置の読取処理を制御する情報処理装置であって、前記画像読取装置に対して前記操作手段が操作されたか否かを確認するための第１の情報の送信要求を送信する第１の送信手段と、前記送信要求に応じて前記画像読取装置から送信された第１の情報に基づいて前記操作手段が操作されたか否かを判断する第１の判断手段と、前記画像読取装置に対して該画像読取装置がエラー状態か否かを確認するための第２の情報の送信要求を送信する第２の送信手段と、  前記送信要求に応じて前記画像読取装置から送信された第２の情報に基づいて画像読取装置がエラー状態か否かを判断する第２の判断手段と、前記第１の判断手段により前記操作手段が操作されたと判断され、かつ前記第２の判断手段により前記画像読取装置がエラー状態と判断された場合に、前記画像読取装置の読取処理を行わないように制御する制御手段と、を備えることを特徴とする。
【００１３】
本発明の情報処理装置は、画像の読取処理の開始操作を行うための操作手段を有する画像読取装置に接続され、前記操作手段が操作されたときに、前記画像読取装置の読取処理を制御する情報処理装置であって、前記画像読取装置に対して前記操作手段が操作されたか否かを確認するための第１の情報の送信要求を送信する第１の送信手段と、前記送信要求に応じて前記画像読取装置から送信された第１の情報に基づいて前記操作手段が操作されたか否かを判断する第１の判断手段と、前記画像読取装置に対して該画像読取装置がエラー状態か否かを確認するための第２の情報の送信要求を送信する第２の送信手段と、  前記送信要求に応じて前記画像読取装置から送信された第２の情報に基づいて画像読取装置がエラー状態か否かを判断する第２の判断手段と、前記第２の判断手段により前記画像読取装置がエラー状態と判断された場合に、前記操作手段の操作を無効化する無効化手段と、前記第１の判断手段により前記操作手段が操作されたと判断された場合に、前記操作手段の操作が無効化されているか否かを判断する第３の判断手段と、該第３の判断手段により前記操作手段の操作が無効化されていると判断された場合に、前記画像読取装置の読取処理を行わないように制御する制御手段と、を備えることを特徴とする。
【００１４】
本発明の画像読取装置は、情報処理装置に接続されるインターフェースと、画像の読取処理の開始操作を行うための操作手段とを有し、前記操作手段が操作されたときに、前記情報処理装置により前記読取処理が制御される画像読取装置であって、エラー状態か否かを判断するエラー状態判断手段と、該エラー状態判断手段によりエラー状態と判断された場合に、前記操作手段の操作を無効化する無効化手段と、該無効化手段により前記操作手段の操作が無効化されている場合に、前記操作手段が操作されたか否かを確認するための情報の送信要求を前記情報処理装置から受信したときは、前記操作手段の無効状態を通知する通知手段と、を備えることを特徴とする。
【００１５】
本発明の情報処理装置の制御方法は、画像の読取処理の開始操作を行うための操作手段を有する画像読取装置に接続され、前記操作手段が操作されたときに、前記画像読取装置の読取処理を制御する情報処理装置の制御方法であって、前記画像読取装置に対して前記操作手段が操作されたか否かを確認するための第１の情報の送信要求を送信する第１の送信ステップと、前記送信要求に応じて前記画像読取装置から送信された第１の情報に基づいて前記操作手段が操作されたか否かを判断する第１の判断ステップと、前記画像読取装置に対して該画像読取装置がエラー状態か否かを確認するための第２の情報の送信要求を送信する第２の送信ステップと、前記送信要求に応じて前記画像読取装置から送信された第２の情報に基づいて画像読取装置がエラー状態か否かを判断する第２の判断ステップと、前記第１の判断ステップで前記操作手段が操作されたと判断され、かつ前記第２の判断ステップで前記画像読取装置がエラー状態と判断された場合に、前記画像読取装置の読取処理を行わないように制御する制御ステップと、を備えることを特徴とする。
【００１６】
本発明の情報処理装置の制御方法は、画像の読取処理の開始操作を行うための操作手段を有する画像読取装置に接続され、前記操作手段が操作されたときに、前記画像読取装置の読取処理を制御する情報処理装置の制御方法であって、前記画像読取装置に対して前記操作手段が操作されたか否かを確認するための第１の情報の送信要求を送信する第１の送信ステップと、前記送信要求に応じて前記画像読取装置から送信された第１の情報に基づいて前記操作手段が操作されたか否かを判断する第１の判断ステップと、前記画像読取装置に対して該画像読取装置がエラー状態か否かを確認するための第２の情報の送信要求を送信する第２の送信ステップと、前記送信要求に応じて前記画像読取装置から送信された第２の情報に基づいて画像読取装置がエラー状態か否かを判断する第２の判断ステップと、前記第２の判断ステップで前記画像読取装置がエラー状態と判断された場合に、前記操作手段の操作を無効化する無効化ステップと、前記第１の判断ステップで前記操作手段が操作されたと判断された場合に、前記操作手段の操作が無効化されているか否かを判断する第３の判断ステップと、該第３の判断ステップで前記操作手段の操作が無効化されていると判断された場合に、前記画像読取装置の読取処理を行わないように制御する制御ステップと、を備えることを特徴とする。
【００１７】
本発明の画像読取装置の制御方法は、情報処理装置に接続されるインターフェースと、画像の読取処理の開始操作を行うための操作手段とを有し、前記操作手段が操作されたときに、前記情報処理装置により前記読取処理が制御される画像読取装置の制御方法であって、エラー状態か否かを判断するエラー状態判断ステップと、該エラー状態判断ステップでエラー状態と判断された場合に、前記操作手段の操作を無効化する無効化ステップと、  該無効化ステップにより前記操作手段の操作が無効化されている場合に、前記操作手段が操作されたか否かを確認するための情報の送信要求を前記情報処理装置から受信したときは、前記操作手段の無効状態を通知する通知ステップと、を備えることを特徴とする。
【００１８】
本発明の情報処理装置の制御プログラムは、画像の読取処理の開始操作を行うための操作手段を有する画像読取装置に接続され、前記操作手段が操作されたときに、前記画像読取装置の読取処理を制御する情報処理装置の制御プログラムであって、前記画像読取装置に対して前記操作手段が操作されたか否かを確認するための第１の情報の送信要求を送信する第１の送信ステップと、前記送信要求に応じて前記画像読取装置から送信された第１の情報に基づいて前記操作手段が操作されたか否かを判断する第１の判断ステップと、前記画像読取装置に対して該画像読取装置がエラー状態か否かを確認するための第２の情報の送信要求を送信する第２の送信ステップと、前記送信要求に応じて前記画像読取装置から送信された第２の情報に基づいて画像読取装置がエラー状態か否かを判断する第２の判断ステップと、前記第１の判断ステップで前記操作手段が操作されたと判断され、かつ前記第２の判断ステップで前記画像読取装置がエラー状態と判断された場合に、前記画像読取装置の読取処理を行わないように制御する制御ステップと、をコンピュータに実行させる、ことを特徴とする。
【００１９】
本発明の情報処理装置の制御プログラムは、画像の読取処理の開始操作を行うための操作手段を有する画像読取装置に接続され、前記操作手段が操作されたときに、前記画像読取装置の読取処理を制御する情報処理装置の制御プログラムであって、前記画像読取装置に対して前記操作手段が操作されたか否かを確認するための第１の情報の送信要求を送信する第１の送信ステップと、前記送信要求に応じて前記画像読取装置から送信された第１の情報に基づいて前記操作手段が操作されたか否かを判断する第１の判断ステップと、前記画像読取装置に対して該画像読取装置がエラー状態か否かを確認するための第２の情報の送信要求を送信する第２の送信ステップと、前記送信要求に応じて前記画像読取装置から送信された第２の情報に基づいて画像読取装置がエラー状態か否かを判断する第２の判断ステップと、前記第２の判断ステップで前記画像読取装置がエラー状態と判断された場合に、前記操作手段の操作を無効化する無効化ステップと、前記第１の判断ステップで前記操作手段が操作されたと判断された場合に、前記操作手段の操作が無効化されているか否かを判断する第３の判断ステップと、該第３の判断ステップで前記操作手段の操作が無効化されていると判断された場合に、前記画像読取装置の読取処理を行わないように制御する制御ステップと、をコンピュータに実行させる、ことを特徴とする。
【００２０】
本発明の画像読取装置の制御プログラムは、情報処理装置に接続されるインターフェースと、画像の読取処理の開始操作を行うための操作手段とを有し、前記操作手段が操作されたときに、前記情報処理装置により前記読取処理が制御される画像読取装置の制御プログラムであって、エラー状態か否かを判断するエラー状態判断ステップと、該エラー状態判断ステップでエラー状態と判断された場合に、前記操作手段の操作を無効化する無効化ステップと、該無効化ステップにより前記操作手段の操作が無効化されている場合に、前記操作手段が操作されたか否かを確認するための情報の送信要求を前記情報処理装置から受信したときは、前記操作手段の無効状態を通知する通知ステップと、をコンピュータに実行させる、ことを特徴とする。
【発明の効果】
【００２１】
本発明によれば、画像読取装置がエラー状態で画像の読取開始操作がされた場合に、画像読取装置及び情報処理装置の読取処理が行われないので、該読取処理が終了するまで画像読取装置の操作ができなくなるのを回避することができる。
【発明を実施するための最良の形態】
【００２２】
以下、本発明の実施形態を図面を参照して説明する。
【００２３】
（第１の実施形態）
図１は、本発明の第１の実施形態である画像処理システムを説明するための概略ブロック図である。
【００２４】
本実施形態の画像処理システムは、画像読取装置１と、該画像読取装置１にＵＳＢ、ＳＣＳＩ、ＦｉｒｅＷｉｒｅ等のインターフェース用の接続ケーブル１０３を介して接続された情報処理装置２とを備える。
【００２５】
画像読取装置１は、中央演算処理装置１０５、接続ケーブル１０３が接続される通信Ｉ／Ｆ１０２、画像読取開始を指示するスタートボタン１０１、原稿の画像を読み取るイメージセンサ１０４、読み取った画像データを保存する記憶装置１０６を備える。
【００２６】
情報処理装置２は、中央演算処理装置２０１、接続ケーブル１０３が接続される通信Ｉ／Ｆ２０５、画像読取装置１で読み取った原稿の画像データや各種設定データ等を保存する記憶装置２０２を備える。
【００２７】
記憶装置２０２には、オペレーティングシステムや画像読取装置１を制御する画像キャプチャアプリケーション群が格納されており、これらを利用して画像読取装置１に原稿の画像を読み取らせることができる。また、情報処理装置２には、マウスやキーボードなどの入力装置２０３やプリンタやディスプレイなどの出力装置２０４が接続されている。
【００２８】
図２は、情報処理装置２のソフトウェアの構成例を示すブロック図である。
【００２９】
情報処理装置２は、起動時にオペレーティングシステム２０６を起動し、オペレーティングシステム２０６は、スキャナモニタ２０７を起動する。
【００３０】
スキャナモニタ２０７は、起動後、情報処理装置２に常駐し、一定時間（例えば１秒）毎に接続ケーブル１０３を介して画像読取装置１に対してスタートボタン１０１が押下されたか否かを確認するための状態確認情報の送信要求を送信する。画像読取装置１は、前記送信要求を受信すると、スキャナモニタ２０７に対してスタートボタン１０１が押下されたか否かの状態確認情報を接続ケーブル１０３を介して送信する。スキャナモニタ２０７は、受信した状態確認情報に基づいてスタートボタン１０１が押下されたか否かを判断する。
【００３１】
また、スキャナモニタ２０７は、一定時間（例えば１秒）毎に通信回線１０３を介して画像読取装置１に対して画像読取装置１がエラー状態か否かを確認するための状態確認情報の送信要求を送信する。画像読取装置１は、前記送信要求を受信すると、スキャナモニタ２０７に対して画像読取装置１の状態確認情報を接続ケーブル１０３を介して送信し、スキャナモニタ２０７は、受信した状態確認情報に基づいて画像読取装置１がエラー状態か否かを判断する。
【００３２】
また、画像読取装置１で実行する画像読取動作に関する情報として、画像読取時の解像度、画像サイズ、読取画像のファイル名、およびファイル形式などの設定データを情報処理装置２の記憶装置２０２に記憶しておくことができる。例えば、オペレーティングシステム２０６を介して情報処理装置２の記憶装置２０２に、レジストリ情報として上記設定データを書き込んでおき、必要に応じてレジストリ情報を読み出して設定情報として使用することが可能である。そして、画像読取装置１での画像の読取前に、設定登録アプリケーション２０９を利用して、記憶装置２０２に保存された設定データの変更や登録を行うことができる。
【００３３】
また、スキャナモニタ２０７は、スタートボタン１０１が押下されたことを確認すると、読取開始が指示されたものと判断し、ジョブアプリケーション２０８を呼び出す。ジョブアプリケーション２０８は、画像読取装置１のスタートボタン１０１が押されると呼び出されるように対応づけて設定された設定データを記憶装置２０２から読み出し、読み出した設定データをスキャナドライバ２１４に出力する。スキャナドライバ２１４は、設定データに従って画像読取装置１を制御してイメージセンサ１０４により原稿の画像を読み取らせ、読み取った画像データを記憶装置２０２に取り込む。
【００３４】
一方、ユーザは、ジョブアプリケーション２０８が起動していないときは、汎用アプリケーション２１０を起動して、画像読取時の解像度、画像サイズ、読取画像のファイル名、及びファイル形式等を設定し、情報処理装置２から読取開始を指示することができる。この読取開始の指示によっても、スキャナドライバ２１４を介して設定データに従って画像読取装置１を制御してイメージセンサ１０４により原稿の画像を読み取らせることもできる。
【００３５】
図３は、設定登録アプリケーションの一例を示す図である。
【００３６】
設定登録アプリケーション２０９は、情報処理装置２の記憶装置２０２にインストールされており、スタートボタン１０１の押下によって呼び出されるように対応付けて設定される設定データの変更や登録を行う。
【００３７】
また、設定登録アプリケーション２０９は、選択ダイアログボックス２１１により、保存先、ファイル名、ファイル形式、読取モード、解像度などの設定を行う。また、設定登録アプリケーション２０９は、キャンセルボタン２１３により設定した内容を破棄し、登録ボタン２１２により設定した内容を情報処理装置２の記憶装置２０２に保存する。
【００３８】
次に、図４を参照して、情報処理装置２の動作例について説明する。図４での各処理は、情報処理装置２の記憶装置２０２等に記憶された制御プログラムが情報処理装置内の不図示のＲＡＭにロードされて、中央演算処理装置２０１によって実行される。
【００３９】
ステップＳ１０１では、中央演算処理装置２０１は、オペレーティングシステム２０６の起動後にスキャナモニタ２０７を起動し、ステップＳ１０２に進む。なお、スキャナモニタ２０７は、起動後、情報処理装置２に常駐する。
【００４０】
ステップＳ１０２では、中央演算処理装置（第１の送信手段）２０１は、スキャナモニタ２０７を制御して、画像読取装置１に対して所定時間毎にスタートボタン１０１が押下されたか否かを確認するための第１の情報の送信要求を送信し、ステップＳ１０３に進む。
【００４１】
ステップＳ１０３では、中央演算処理装置２０１は、スキャナモニタ２０７を介して画像読取装置１から送信された第１の情報を受信する。また、中央演算処理装置２０１は、スキャナモニタ２０７を介して受信した第１の情報に基づいてスタートボタン１０１が押下されたか否かを判断する（第１の判断手段）。そして、中央演算処理装置２０１は、スタートボタン１０１が押下された場合は、ステップＳ１０４に進み、スタートボタン１０１が押下されていない場合は、ステップＳ１０２に戻る。
【００４２】
ステップＳ１０４では、中央演算処理装置（第２の送信手段）２０１は、スキャナモニタ２０７を制御して、所定の時間毎に接続ケーブル１０３を介して画像読取装置１に対して画像読取装置１がエラー状態か否かを確認するための第２の情報の送信要求を送信する。
【００４３】
次に、ステップＳ１０５では、中央演算処理装置２０１は、スキャナモニタ２０７を介して画像読取装置１から送信された、エラー状態か否かを確認するための第２の情報を受信する。また、中央演算処理装置（第２の判断手段）２０１は、スキャナモニタ２０７を介して受信した第２の情報に基づいて画像読取装置１がエラー状態か否かを判断する。そして、中央演算処理装置２０１は、エラー状態と判断した場合は、ステップＳ１０２に戻り、エラー状態でない（正常）と判断した場合は、ステップＳ１０６に進む。
【００４４】
ステップＳ１０６では、中央演算処理装置２０１は、スキャナモニタ２０７を制御して、ジョブアプリケーション２０８を呼び出し、ステップＳ１０７に進む。
【００４５】
ステップＳ１０７では、中央演算処理装置２０１は、ジョブアプリケーション２０８を制御して、スキャナドライバ２１４を呼び出し、ステップＳ１０８に進む。
【００４６】
ステップＳ１０８では、中央演算処理装置２０１は、記憶装置２０２から画像読取用の設定データを読み出してスキャナドライバ２１４に出力する。また、中央演算処理装置２０１は、スキャナドライバ２１４を介して画像読取装置１を制御してイメージセンサ１０４により設定データに従った原稿の画像の読取処理を行わせる。また、中央演算処理装置２０１は、画像読取装置１により読み取られた原稿の画像データを、記憶装置２０２に取り込んで保存し、ステップＳ１０９に進む。
【００４７】
ステップＳ１０９では、中央演算処理装置２０１は、スキャナドライバ２１４を解放し、ステップＳ１１０に進む。
【００４８】
ステップＳ１１０では、中央演算処理装置２０１は、ジョブアプリケーション２０８を終了し、ステップＳ１０２に戻る。
【００４９】
以上説明したように、本実施形態では、画像読取装置１がエラー状態にもかかわらず画像読取装置１のスタートボタン１０１が押下された場合には、画像読取装置１を制御するための情報処理装置２の読取処理工程を開始することを防止している。従って、操作者がエラー解除後に再びスタートボタン１０１を押せば画像読取が速やかに実行される。
【００５０】
これにより、画像読取装置１がエラー状態で画像読取装置１のスタートボタン１０１が押下された場合に、画像読取装置１及び情報処理装置２の読取処理が終了するまで画像読取装置１の操作ができなくなるのを回避することができる。
【００５１】
（第２の実施形態）
次に、図５を参照して、本発明の第２の実施形態である画像処理システムについて説明する。なお、画像読取装置１及び情報処理装置２の基本的な装置構成は、上記第１の実施形態と同様であるので、符号を流用してその説明を省略する。
【００５２】
図５は、情報処理装置２の動作例を説明するためのフローチャート図である。図５での各処理は、情報処理装置２の記憶装置２０２等に記憶された制御プログラムが不図示のＲＡＭにロードされて、中央演算処理装置２０１によって実行される。
【００５３】
ステップＳ２０１では、中央演算処理装置２０１は、オペレーティングシステム２０６の起動後にスキャナモニタ２０７を起動し、ステップＳ２０２に進む。なお、スキャナモニタ２０７は、起動後、情報処理装置２に常駐する。
【００５４】
ステップＳ２０２では、中央演算処理装置（第２の送信手段）２０１は、スキャナモニタ２０７を制御して、所定の時間毎に接続ケーブル１０３を介して画像読取装置１に対して画像読取装置１がエラー状態か否かを確認するための第２の情報の送信要求を送信する。
【００５５】
次に、ステップＳ２０３では、中央演算処理装置２０１は、スキャナモニタ２０７を介して画像読取装置１から送信された、エラー状態か否かを確認するための第２の情報を受信する。また、中央演算処理装置（第２の判断手段）２０１は、スキャナモニタ２０７を介して受信した第２の情報に基づいて画像読取装置１がエラー状態か否かを判断する。そして、中央演算処理装置２０１は、エラー状態と判断した場合は、ステップＳ２０４に進み、エラー状態でない（正常）と判断した場合は、ステップＳ２０５に進む。
【００５６】
ステップＳ２０４では、中央演算処理装置（無効化手段）２０１は、スキャナモニタ２０７を制御して、画像読取装置１のスタートボタン１０１の操作を無効化し、ステップＳ２０６に進む。
【００５７】
ステップＳ２０５では、中央演算処理装置２０１は、スキャナモニタ２０７を制御して、画像読取装置１のスタートボタン１０１の操作の無効化を解除し、ステップＳ２０６に進む。
【００５８】
ステップＳ２０６では、中央演算処理装置（第１の送信手段）２０１は、スキャナモニタ２０７を制御して、画像読取装置１に対して所定時間毎にスタートボタン１０１が押下されたか否かを確認するための第１の情報の送信要求を送信し、ステップＳ２０７に進む。
【００５９】
ステップＳ２０７では、中央演算処理装置２０１は、スキャナモニタ２０７を制御して、画像読取装置１から送信された第１の情報を受信する。また、中央演算処理装置（第１の判断手段）２０１は、スキャナモニタ２０７を介して受信した第１の情報に基づいてスタートボタン１０１が押下されたか否かを判断する。そして、中央演算処理装置２０１は、スタートボタン１０１が押下された場合は、ステップＳ２０８に進み、スタートボタン１０１が押下されていない場合は、ステップＳ２０２に戻る。
【００６０】
ステップＳ２０８では、中央演算処理装置（第３の判断手段）２０１は、画像読取装置１のスタートボタン１０１の操作が無効化されているか否かを判断する。そして、中央演算処理装置２０１は、無効化されている場合は、スタートボタン１０１の押下を無視してステップＳ２０２に戻り、無効化されていない場合は、ステップＳ２０９に進む。
【００６１】
ステップＳ２０９では、中央演算処理装置２０１は、スキャナモニタ２０７を制御して、ジョブアプリケーション２０８を呼び出し、ステップＳ２１０に進む。
【００６２】
ステップＳ２１０では、中央演算処理装置２０１は、ジョブアプリケーション２０８を制御して、スキャナドライバ２１４を呼び出し、ステップＳ２１１に進む。
【００６３】
ステップＳ２１１では、中央演算処理装置２０１は、記憶装置２０２から画像読取用の設定データを読み出してスキャナドライバ２１４に出力する。また、中央演算処理装置２０１は、スキャナドライバ２１４を介して画像読取装置１を制御してイメージセンサ１０４により設定データに従った原稿の画像の読取処理を行わせる。また、中央演算処理装置２０１は、画像読取装置１により読み取られた原稿の画像データを、記憶装置２０２に取り込んで保存し、ステップＳ２１２に進む。
【００６４】
ステップＳ２１２では、中央演算処理装置２０１は、スキャナドライバ２１４を解放し、ステップＳ２１３に進む。
【００６５】
ステップＳ２１３では、中央演算処理装置２０１は、ジョブアプリケーション２０８を終了し、ステップＳ２０２に戻る。
【００６６】
以上説明したように、本実施形態では、画像読取装置１がエラー状態で画像読取装置１のスタートボタン１０１が押下された場合には、スタートボタン１０１の操作を無効化する。そのようにして、画像読取装置１を制御するための情報処理装置２の読取処理工程を開始することを防止している。従って、操作者がエラー解除後に再びスタートボタン１０１を押せば、画像読取が速やかに実行される。
【００６７】
これにより、画像読取装置１がエラー状態で画像読取装置１のスタートボタン１０１が押下された場合に、画像読取装置１及び情報処理装置２の読取処理が終了するまで画像読取装置１の操作ができなくなるのを回避することができる。
【００６８】
（第３の実施形態）
次に、図６を参照して、本発明の第３の実施形態である画像処理システムについて説明する。なお、画像読取装置１及び情報処理装置２の基本的な装置構成は、上記第１の実施形態と同様であるので、符号を流用してその説明を省略する。
【００６９】
図６は、画像読取装置１の動作例を説明するためのフローチャート図である。図６での各処理は、画像読取装置１の記憶装置１０６等に記憶された制御プログラムが不図示のＲＡＭにロードされて、中央演算処理装置１０５によって実行される。
【００７０】
ステップＳ３０１では、中央演算処理装置１０５は、通信回線１０３を介して情報処理装置２に接続して通信を開始し、ステップＳ３０２に進む。
【００７１】
ステップＳ３０２では、中央演算処理装置（エラー状態判断手段）１０５は、画像読取装置１がエラー状態か否かを判断し、エラー状態でない場合は、ステップＳ３０３に進み、エラー状態の場合は、ステップＳ３０４に進む。
【００７２】
ステップＳ３０３では、中央演算処理装置１０５は、スタートボタン１０１の操作の無効化を解除し、ステップＳ３０５に進む。
【００７３】
ステップＳ３０４では、中央演算処理装置（無効化手段）１０５は、スタートボタン１０１の操作を無効化し、ステップＳ３０５に進む。
【００７４】
ステップＳ３０５では、中央演算処理装置１０５は、情報処理装置２のスキャナモニタ２０７から送信された、スタートボタン１０１が押下されたか否かの状態確認情報の送信要求を受信したか否かを判断する。そして、中央演算処理装置１０５は、前記送信要求を受信した場合は、ステップＳ３０６に進み、受信していない場合は、ステップＳ３０２に戻る。
【００７５】
ステップＳ３０６では、中央演算処理装置（無効化判断手段）１０５は、スタートボタン１０１の操作が無効化されているか否かを判断する。そして、中央演算処理装置１０５は、無効化されていると判断した場合は、情報処理装置２に対してスタートボタン１０１の操作が無効状態であることを通知し（ステップＳ３１１）、ステップＳ３０２に戻る。一方、中央演算処理装置１０５は、無効化されていないと判断した場合は、ステップＳ３０７に進む。
【００７６】
ステップＳ３０７では、中央演算処理装置１０５は、スタートボタン１０１が押下されたか否かを判断し、押下されていない場合（ＯＦＦの場合）は、ステップＳ３０８に進み、押下された場合（ＯＮの場合）は、ステップＳ３０９に進む。
【００７７】
ステップＳ３０８では、中央演算処理装置１０５は、スタートボタン１０１が押下されていない状態（ＯＦＦ状態）である旨の情報を情報処理装置２のスキャナモニタ２０７に送信し、ステップＳ３０５に戻る。
【００７８】
ステップＳ３０９では、中央演算処理装置１０５は、スタートボタン１０１が押下された状態（ＯＮ状態）である旨の情報を情報処理装置２のスキャナモニタ２０７に送信し、ステップＳ３１０に進む。
【００７９】
ステップＳ３１０では、中央演算処理装置１０５は、情報処理装置２のスキャナドライバ２１４からの指示により、イメージセンサ１０４により原稿の画像の読取処理を行い、ステップＳ３０２に戻る。
【００８０】
以上説明したように、本実施形態では、画像読取装置１がエラー状態のときは画像読取装置１がスタートボタン１０１の操作を無効化し、該スタートボタン１０１が押下されても画像読取装置１及び情報処理装置２の読取処理が行われないようにしている。
【００８１】
これにより、画像読取装置１がエラー状態で画像読取装置１のスタートボタン１０１が押下された場合に、画像読取装置１及び情報処理装置２の読取処理が終了するまで画像読取装置１の操作ができなくなるのを回避することができる。
【００８２】
なお、本発明は、上記各実施形態に例示したものに限定されるものではなく、本発明の要旨を逸脱しない範囲において適宜変更可能である。
【００８３】
例えば、上記各実施形態では、スタートボタンに１つの設定データを対応づけたが、これに限定されない。例えば、画像読取装置１に複数の制御ボタンを設け、情報処理装置２の記憶装置２０２に複数組の設定データを記憶し、第ｎ番目の制御ボタンに対応づけて第ｎ番目の設定データと、設定データを一意に識別するジョブ番号を保存しておくことも考えられる。
【００８４】
この場合、画像読取装置１は、操作者が押下した制御ボタンの番号を情報処理装置２に通知するジョブ番号通知手段を有する構成とし、スキャナモニタ２０４は、受信したジョブ番号に対応した設定データを記憶装置２０２から読み出す。そして、スキャナドライバ２１４に読み出した設定データを引き渡してスキャンさせるように制御してもよい。
【００８５】
また、最近、画像読取装置の低コスト化から数字や文字等を表示できる表示文字数の少ない小型の表示部が設けられた画像読取装置もあり、この表示部に前記ジョブ番号を表示させることが行われている。このような装置において、操作者が表示部に表示されたジョブ番号を制御ボタンで変更し、スタートボタン１０１を押すことにより、画像読取装置１は、表示部に表示されたジョブ番号をスキャナモニタ２０７に通知する構成としてもよい。そして、スキャナモニタ２０７は、受信したジョブ番号に対応した設定データを記憶装置２０２から読み出し、スキャナドライバ２１４に読み出した設定データを引き渡してスキャンさせるように制御してもよい。
【００８６】
また、上記各実施形態では、スキャナドライバを介して画像読取装置を制御する場合を例示したが、画像キャプチャアプリケーションが画像読取装置を直接制御するようにしてもよい。
【００８７】
また、上記各実施形態では、ＵＳＢやＳＣＳＩ等のインターフェースを介して情報処理装置に画像読取装置を接続したが、ＬＡＮ等のネットワークや通信回線を介して接続してもよい。
【００８８】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００８９】
この場合、記憶媒体から読み出されたプログラムコード自体が前述した実施の形態の機能を実現することになり、そのプログラムコード及び該プログラムコードを記憶した記憶媒体は本発明を構成することになる。
【００９０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９１】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９２】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９３】
【図１】本発明の第１の実施形態である画像処理システムを説明するための概略ブロック図である。
【図２】情報処理装置のソフトウェアの構成例を示すブロック図である。
【図３】設定登録アプリケーションの一例を示す図である。
【図４】情報処理装置の動作例について説明するためのフローチャート図である。
【図５】本発明の第２の実施形態である画像処理システムにおける情報処理装置の動作例を説明するためのフローチャート図である。
【図６】本発明の第３の実施形態である画像処理システムにおける画像読取装置の動作例を説明するためのフローチャート図である。
【符号の説明】
【００９４】
１  画像読取装置
２  情報処理装置
１０１  操作手段
１０２  通信Ｉ／Ｆ
１０３  接続ケーブル
１０４  イメージセンサ
１０５  中央演算処理装置
１０６  記憶装置
２０１  中央演算処理装置
２０２  記憶装置
２０３  入力装置
２０４  出力装置
２０５  通信Ｉ／Ｆ
２０６  オペレーティングシステム
２０７  スキャナモニタ
２０８  ジョブアプリケーション
２０９  設定登録アプリケーション
２１０  汎用アプリケーション
２１４  スキャナドライバ
【図１】
2010028648.tif 000003
【図２】
2010028648.tif 000004
【図３】
2010028648.tif 000005
【図４】
2010028648.tif 000006
【図５】
2010028648.tif 000007
【図６】
2010028648.tif 000008